【手続補正書】
【提出日】平成21年12月17日(2009.12.17)
【手続補正１】
【補正対象書類名】特許請求の範囲
【補正対象項目名】全文
【補正方法】変更
【補正の内容】
【特許請求の範囲】
【請求項１】
ホストコンピュータと、前記ホストコンピュータから受信した画像データに基づいて記録紙上に画像を形成する画像形成装置とを有する画像形成システムであって、
前記ホストコンピュータは、
画像データを記憶する第１の記憶手段と、
前記画像形成装置が前記記録紙上に画像を形成した場合に該形成される画像がどのように変形するかを示す変形情報を前記画像形成装置から取得する取得手段と、
前記取得手段により取得された前記変形情報に基づいて前記画像データの水平方向における複数の位置で垂直方向の座標変換を行うことにより前記画像データを補正した補正画像データを生成する補正手段と、
前記補正手段により生成された前記補正画像データを前記画像形成装置へ送信する送信手段と
を有し、
前記画像形成装置は、
前記送信手段により送信された前記補正画像データを受信する受信手段と、
前記受信手段により受信された前記補正画像データに含まれる前記水平方向のライン画像データを記憶する第２の記憶手段と、
前記第２の記憶手段に記憶された前記ライン画像データに基づいて、光を感知して表面に静電潜像を形成する像担持体を露光する露光手段と、
前記補正手段により前記座標変換が行われた前記水平方向における複数の位置のうち、いずれの位置に階調補正を行うべきかを指示する指示手段と
を有し、
前記露光手段は、
前記ライン画像データに含まれる複数の画素データのうち、前記指示手段により指示された位置に対応する画素データの露光量を該画素データに応じて調整して前記階調補正を行う
ことを特徴とする画像形成システム。
【請求項２】
前記露光手段は、
前記指示手段により指示された位置に対応する画素を含む複数画素分の画素データの前記露光量を該画素データに応じて調整することにより前記階調処理を行う
ことを特徴とする請求項１に記載の画像形成システム。
【請求項３】
前記補正手段は、
前記変形情報に応じた前記画像データの水平方向における複数の位置で前記垂直方向の座標変換が行われるように、前記第１の記憶手段から前記画像データを読み出すための読出しアドレスを生成するアドレス生成手段と、
前記アドレス生成手段により生成された前記読出しアドレスに基づいて、前記第１の記憶手段に記憶された前記画像データを読み出すことにより前記補正画像データを生成する読出手段と
を有することを特徴とする請求項１又は２に記載の画像形成システム。
【請求項４】
前記指示手段は、
前記補正手段により前記座標変換が行われた前記水平方向における複数の位置のうち、いずれの位置に前記階調補正を行うべきかの前記指示を該複数の位置に対応する画素の属性に基づいて行う
ことを特徴とする請求項１乃至３のいずれか１項に記載の画像形成システム。
【請求項５】
前記画像形成装置は、
前記像担持体上に形成された前記静電潜像に現像剤を付着させて該静電潜像を現像する現像手段と、
前記像担持体上の現像剤像を転写して記録紙上に画像を形成する転写手段と
を更に有することを特徴とする請求項１乃至４のいずれか１項に記載の画像形成システム。
【請求項６】
ホストコンピュータから受信した画像データに基づいて記録紙上に画像を形成する画像形成装置であって、
前記記録紙上に画像を形成した場合に該形成される画像がどのように変形するかを示す変形情報を前記ホストコンピュータへ送信する送信手段と、
前記ホストコンピュータが前記変形情報に基づいて前記画像データの水平方向における複数の位置で垂直方向の座標変換を行うことにより生成した補正画像データを、前記ホストコンピュータから受信する受信手段と、
前記受信手段により受信された前記補正画像データに含まれる前記水平方向のライン画像データを記憶する記憶手段と、
前記記憶手段に記憶された前記ライン画像データに含まれる複数の画素データに基づいて、光を感知して表面に静電潜像を形成する像担持体を露光する露光手段と、
前記ホストコンピュータにより前記補正画像データが生成される際に前記座標変換が行われた前記複数の位置のうち、いずれの位置に階調補正を行うべきかを指示する指示手段と
を有し、
前記露光手段は、
前記ライン画像データに含まれる複数の画素データのうち、前記指示手段により指示された位置に対応する画素データの露光量を該画素データに応じて調整して前記階調補正を行う
ことを特徴とする画像形成装置。
【請求項７】
前記露光手段は、
前記指示手段により指示された位置に対応する画素を含む複数画素分の画素データの前記露光量を該画素データに応じて調整することにより前記階調処理を行う
ことを特徴とする請求項６に記載の画像形成装置。
【請求項８】
前記指示手段は、
前記ホストコンピュータにより前記補正画像データが生成される際に前記座標変換が行われた前記複数の位置のうち、いずれの位置に前記階調補正を行うべきかの前記指示を該複数の位置に対応する画素の属性に基づいて行う
ことを特徴とする請求項６又は７に記載の画像形成装置。
【請求項９】
前記像担持体上に形成された前記静電潜像に現像剤を付着させて該静電潜像を現像する現像手段と、
前記像担持体上の現像剤像を転写して記録紙上に画像を形成する転写手段と
を更に有することを特徴とする請求項６乃至８のいずれか１項に記載の画像形成装置。
【請求項１０】
ホストコンピュータと、前記ホストコンピュータから受信した画像データに基づいて記録紙上に画像を形成する画像形成装置とを有する画像形成システムにおける画像形成方法であって、
前記画像形成装置が、前記記録紙上に画像を形成した場合に該形成される画像がどのように変形するかを示す変形情報を前記ホストコンピュータへ送信する送信工程と、
前記画像形成装置が、前記ホストコンピュータが前記変形情報に基づいて画像データの水平方向における複数の位置で垂直方向の座標変換を行うことにより生成した補正画像データを前記ホストコンピュータから受信する受信工程と、
前記画像形成装置が、前記受信工程により受信された前記補正画像データに含まれる前記水平方向のライン画像データを記憶手段に記憶する記憶工程と、
前記画像形成装置が、前記記憶手段に記憶された前記ライン画像データに含まれる複数の画素データに基づいて、光を感知して表面に静電潜像を形成する像担持体を露光する露光工程と、
前記画像形成装置が、前記ホストコンピュータにより前記補正画像データが生成される際に前記座標変換が行われた前記複数の位置のうち、いずれの位置に階調補正を行うべきかを指示する指示工程と
を有し、
前記露光工程では、
前記ライン画像データに含まれる複数の画素データのうち、前記指示工程で指示された位置に対応する画素データの露光量を該画素データに応じて調整して前記階調補正を行う
ことを特徴とする画像形成方法。
【請求項１１】
前記ホストコンピュータが、前記送信工程で前記画像形成装置から送信された前記変形情報を取得する取得工程と、
前記ホストコンピュータが、前記取得工程で取得された前記変形情報に基づいて前記画像データの水平方向における複数の位置で垂直方向の座標変換を行うことにより前記画像データを補正した前記補正画像データを生成する補正工程と
を有することを特徴とする請求項１０に記載の画像形成方法。
【請求項１２】
前記画像形成装置が、前記像担持体上に形成された前記静電潜像に現像剤を付着させて該静電潜像を現像する現像工程と、
前記画像形成装置が、前記像担持体上の現像剤像を転写して記録紙上に画像を形成する転写工程と
を更に有することを特徴とする請求項１０又は１１に記載の画像形成方法。
【手続補正２】
【補正対象書類名】明細書
【補正対象項目名】発明の名称
【補正方法】変更
【補正の内容】
【発明の名称】画像形成システム及び画像形成装置並びにその画像形成方法
【手続補正３】
【補正対象書類名】明細書
【補正対象項目名】０００１
【補正方法】変更
【補正の内容】
【０００１】
本発明は、画像形成システム及び画像形成装置並びにその画像形成方法に関する。
【手続補正４】
【補正対象書類名】明細書
【補正対象項目名】０００９
【補正方法】変更
【補正の内容】
【０００９】
上記目的を達成するため、本発明の一態様は、ホストコンピュータと、前記ホストコンピュータから受信した画像データに基づいて記録紙上に画像を形成する画像形成装置とを有する画像形成システムであって、
前記ホストコンピュータは、
画像データを記憶する第１の記憶手段と、
前記画像形成装置が前記記録紙上に画像を形成した場合に該形成される画像がどのように変形するかを示す変形情報を前記画像形成装置から取得する取得手段と、
前記取得手段により取得された前記変形情報に基づいて前記画像データの水平方向における複数の位置で垂直方向の座標変換を行うことにより前記画像データを補正した補正画像データを生成する補正手段と、
前記補正手段により生成された前記補正画像データを前記画像形成装置へ送信する送信手段と
を有し、
前記画像形成装置は、
前記送信手段により送信された前記補正画像データを受信する受信手段と、
前記受信手段により受信された前記補正画像データに含まれる前記水平方向のライン画像データを記憶する第２の記憶手段と、
前記第２の記憶手段に記憶された前記ライン画像データに基づいて、光を感知して表面に静電潜像を形成する像担持体を露光する露光手段と、
前記補正手段により前記座標変換が行われた前記水平方向における複数の位置のうち、いずれの位置に階調補正を行うべきかを指示する指示手段と
を有し、
前記露光手段は、
前記ライン画像データに含まれる複数の画素データのうち、前記指示手段により指示された位置に対応する画素データの露光量を該画素データに応じて調整して前記階調補正を行う
ことを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】